(57)【要約】【課題】  スライド操作により、ラッチ錠を解錠することが可能なハンドル装置の提供。【解決手段】  扉１の室外側面および室内側面に固定される一対の台座６１，６３と、各台座６１，６３に上下方向に沿って移動可能に設けられるハンドル本体６５，６７と、各ハンドル本体６５，６７に取り付けられ、ハンドル本体６５，６７の移動に伴ってラッチハブ１１を回動させる操作部材６９，７１とを備える。ハンドル本体６５，６７を下方へ押し下げることで、操作部材６９，７１も下方へ移動してラッチ錠３のラッチハブ１１が回転し、ラッチボルト９が後退し解錠する。【選択図】      図２
2008240265.tif 000002
【特許請求の範囲】
【請求項１】
進退可能に設けられ、突出方向へ付勢されたラッチボルトと、
このラッチボルトを後退させるか、後退可能状態へ切替える作動部材と、を有する扉錠が設けられる扉に適用されるハンドル装置であって、
扉にスライド可能に設けられるハンドル本体と、
このハンドル本体に設けられ、ハンドル本体のスライドにより、作動部材を操作してラッチボルトを後退させる、または後退可能状態へ切替える操作部材と
を備えることを特徴とするハンドル装置。
【請求項２】
前記ハンドル本体は、扉に固定される台座にスライド可能に設けられる
ことを特徴とする請求項１に記載のハンドル装置。
【請求項３】
前記ハンドル本体は、上下動可能に設けられると共に、上方または下方へ付勢されており、この付勢力に対抗して下方または上方へスライドすることで操作部材により作動部材が操作される
ことを特徴とする請求項１または請求項２に記載のハンドル装置。
【発明の詳細な説明】
【技術分野】
【０００１】
本発明は、扉錠用のハンドル装置に関するものである。
【背景技術】
【０００２】
周知のとおり、扉には、ラッチ錠や電気錠などの各種扉錠が設けられている。ラッチボルトを有する扉錠の場合、そのラッチボルトを後退させるために、各種のハンドル装置が設けられる。このハンドル装置には、たとえば、略円柱状のノブや、細長い棒状のレバーハンドルを有したものが使用される。
また、下記特許文献１に開示されるように、プッシュ・プル式の扉錠に使用されるハンドル装置の場合には、上下方向に細長いハンドルが使用されている。
【０００３】
そして、これらのノブやハンドルを回転させたり、押しまたは引きの操作を行ったりすることで、扉錠のラッチボルトを後退させることが可能とされている。
【特許文献１】特開２０００−１１０４２９号公報
【発明の開示】
【発明が解決しようとする課題】
【０００４】
しかしながら、ノブやレバーハンドルなどの場合、ラッチボルトを後退させるために、回転操作をする必要があり、手の不自由な人や高齢者には操作が困難な場合がある。また、ノブ、レバーハンドルおよびプッシュ・プル式のハンドルの場合、握って操作する必要があるため、扉面から大きく突出させる必要がある。そのため、扉の前を通行する際に、ノブやハンドルに衣服などが引っ掛かったりして邪魔になったり、狭い空間ではスペースをとられて邪魔になる場合がある。
【０００５】
本発明が解決しようとする課題は、簡易な構成で、扉錠を解錠することが可能であり、コンパクト化が可能なハンドル装置を提供することにある。
【課題を解決するための手段】
【０００６】
本発明は、前記課題を解決するためになされたものであり、請求項１に記載の発明は、進退可能に設けられ、突出方向へ付勢されたラッチボルトと、このラッチボルトを後退させるか、後退可能状態へ切替える作動部材と、を有する扉錠が設けられる扉に適用されるハンドル装置であって、扉にスライド可能に設けられるハンドル本体と、このハンドル本体に設けられ、ハンドル本体のスライドにより、作動部材を操作してラッチボルトを後退させる、または後退可能状態へ切替える操作部材とを備えることを特徴とするハンドル装置である。
【０００７】
請求項２に記載の発明は、前記ハンドル本体は、扉に固定される台座にスライド可能に設けられることを特徴とする請求項１に記載のハンドル装置である。
【０００８】
さらに、請求項３に記載の発明は、前記ハンドル本体は、上下動可能に設けられると共に、上方または下方へ付勢されており、この付勢力に対抗して下方または上方へスライドすることで操作部材により作動部材が操作されることを特徴とする請求項１または請求項２に記載のハンドル装置である。
【発明の効果】
【０００９】
本発明のハンドル装置によれば、ハンドルをスライドさせるだけで扉錠を解錠することができ、手の不自由な人や高齢者であっても扉の開閉操作が容易となる。また、ハンドルを握る必要がないので、扉面（扉の室外側面や室内側面）からの突出量を小さくすることができコンパクト化が可能とされると共に、ハンドルに衣服などが引っ掛かるおそれがなく、扉を開放したときに壁に衝突するおそれもない。
【発明を実施するための最良の形態】
【００１０】
以下、本発明のハンドル装置について、図面に基づき詳細に説明する。
ここでは、本発明のハンドル装置がたとえば玄関扉に適用される場合について説明する。なお、以下の説明においては、扉が閉鎖した状態において室内外方向を前後方向とし、扉の幅方向を左右方向とする。
【００１１】
図１は、本発明のハンドル装置の一実施例の扉への取付時の状態を示す分解斜視図であり、図２は図１のハンドル装置の扉への取付状態を示す縦断面図であり、図３は横断面図である。図４は、室内側から見たラッチ錠の概略縦断面図である。
また、図５は、室内側のハンドル本体、台座および操作部材を示す斜視図である。
さらに、図６は、ハンドル装置の主要部を示す図であり、（ａ）は室外側の台座にハンドル本体が取り付けられた状態を基端側から見た図であり、（ｂ）は室内側の台座にハンドル本体が取り付けられた状態を基端側から見た図である。
【００１２】
本実施例のハンドル装置は、ラッチ錠が設けられる扉に適用される。
ラッチ錠は、通常のラッチ錠と、いわゆる反転式のラッチ錠とがあるが、以下においてはまず、通常のラッチ錠が設けられた扉に本実施例のハンドル装置が適用される場合について説明する。
【００１３】
本実施例のハンドル装置が取り付けられる扉１は、開き戸形式とされ、たとえば室外側へ開く外開き扉とされる。具体的には、扉１は、扉枠（不図示）の一側端部に、ヒンジを介して回動可能に取り付けられている。
【００１４】
本実施例のラッチ錠３は、扉１の戸先側端部に内蔵される錠ケース５と、この錠ケース５に設けられ、錠ケース５の戸先側端面７から出没可能なラッチボルト９と、このラッチボルト９を後述するハンドル本体６５，６７の操作に応じて錠ケース５の戸先側端面７から錠ケース５内へ後退させるラッチハブ（作動部材）１１とを主要部に備える。
【００１５】
錠ケース５は、矩形箱状とされる。本実施例の錠ケース５は、室内側へ開口するケース本体１３と、その開口を閉じるようにケース本体１３に重ね合わされてネジで固定される矩形板状の蓋１５とを備える。
【００１６】
錠ケース５は、扉１の戸先側端部の上下方向略中央部に取り付けられる。
具体的には、図１および図４に示すように、錠ケース５は、扉１に埋め込まれると共に、錠ケース５の戸先側端面７に矩形板状のフロント板１７が重ね合わされる。そして、フロント板１７を介して扉１の戸先側端部に取付ネジ１９がねじ込まれて、錠ケース５およびフロント板１７が扉１に固定される。
【００１７】
錠ケース５の戸先側端面７およびフロント板１７には、ラッチボルト９のラッチ頭部２９が通される貫通穴２１，２３がそれぞれ形成されている。
【００１８】
ラッチボルト９は、左右方向に移動可能に錠ケース５内に設けられる。
本実施例のラッチボルト９は、錠ケース５の戸先側端面７から突出して扉枠の戸先側縦枠２５に設けられた受２７の受穴２７ａに突入するラッチ頭部２９と、このラッチ頭部２９に設けられる丸棒状のラッチ軸部３１と、このラッチ軸部３１が挿通されるラッチガイド板３３とを有する。
【００１９】
ラッチ頭部２９は、矩形状のブロック体とされ、その先端部は、室内側へ行くに従って吊元側へ傾斜する傾斜面２９ａに形成されている。
ラッチ軸部３１は、錠ケース５内に左右方向に沿うように配置されて、その一端部がラッチ頭部２９の基端部中央に固定されている。
【００２０】
図４に示すように、ラッチガイド板３３は、板材を屈曲して形成された下方へ開口する略コ字形状とされ、その開放両端片３３ａ，３３ｂ間を架け渡すようにラッチ軸部３１が挿通されて、ラッチガイド板３３はラッチ軸部３１に固定されている。このようにラッチ頭部２９、ラッチ軸部３１およびラッチガイド板３３は一体化されており、左右方向に沿って移動可能に錠ケース５に設けられている。
【００２１】
ラッチ軸部３１の他端部には、コイルバネ３５の一端部が当接されており、コイルバネ３５の他端部は、錠ケース５に当接されている。ラッチ軸部３１は、コイルバネ３５により戸先側へ付勢されており、ラッチ頭部２９は錠ケース５の戸先側端面７およびフロント板１７の各穴２１，２３を介して戸先側へ突出する。
【００２２】
図３および図４に示すように、閉扉され、ハンドル本体６５，６７が操作されていない状態においては、ラッチ頭部２９が戸先側縦枠２５に設けられた受２７の受穴２７ａに突入することで、扉１の閉鎖状態が維持される。
【００２３】
ラッチハブ１１は、板材を屈曲して形成されたコ字形材とされ、その開放両端片３７，３９には前後方向に沿って円筒状の軸部４１，４１が設けられている。
ラッチハブ１１は、その軸部４１が錠ケース５の前後壁面に形成された穴に回動可能にはめ込まれて、錠ケース５に回動可能に保持されている。
【００２４】
図４に示すように、ラッチハブ１１の開放両端片３７，３９には、それぞれ矩形状の押片４３，４５が一体に形成されている。この一対の押片４３，４５は、ラッチガイド板３３の開放両端片３３ａ，３３ｂ間に配置されると共に、ラッチ軸部３１を挟み込んでいる。
【００２５】
また、ラッチハブ１１の開放両端片３７，３９には、押片４３，４５と離隔して矩形状の操作片４７，４９が一体に形成されている。このラッチハブ１１の一対の操作片４７，４９は、錠ケース５の前後壁面に形成された上下方向に細長い矩形状の開口部５１，５３から露出している。
【００２６】
ラッチハブ１１の開放両端片３７，３９間には、ねじりコイルばね５５が配置されており、ねじりコイルばね５５の一端部は、錠ケース５内に立設された柱５７に当接して引っ掛けられ、他端部はラッチハブ１１の中央片５９に当接されている。これにより、ラッチハブ１１は、図４において反時計方向へ付勢されている。なお、ラッチハブ１１は、柱５７に当接することで、一定以上の回転が規制されている。
【００２７】
本実施例のハンドル装置は、扉１の室外側面および室内側面に固定される一対の台座６１，６３と、この台座６１，６３に上下方向に沿って移動可能に設けられるハンドル本体６５，６７と、この各ハンドル本体６５，６７に取り付けられ、ハンドル本体６５，６７の移動に伴ってラッチハブ１１を回動させる操作部材６９，７１とを主要部に備える。
【００２８】
室外側および室内側の各台座６１，６３は、先端側（扉面側）へ開口する矩形状の箱体とされる。すなわち、台座６１，６３の先端部中央には、先端側へ開口する矩形状の凹部６１ａ，６３ａが形成されている。室外側の台座６１の基端部には、凹部６１ａに連通する上下方向に細長い矩形状の二つの貫通穴６１ｂ，６１ｃが上下に離間して形成されている。
同様に、室内側の台座６３にも貫通穴６３ｂ，６３ｃが形成されている。各台座６１，６３の上側の穴６１ｂ，６３ｂと下側の穴６１ｃ，６３ｃとの中間部６１ｄ，６３ｄは、基端側へ若干突出している。
【００２９】
室外側の台座６１には、先端側へ突出する丸棒状の二本の取付柱７３，７３が上下に離間して立設されている。この取付柱７３の先端部には、ネジ穴７３ａが先端面へ開口して形成されている。
【００３０】
室外側のハンドル本体６５は、矩形状のブロック体とされる。
ハンドル本体６５には、先端側へ突出する矩形状の二つの突部６５ａ，６５ｂが上下に離間して形成されている。この突部６５ａ，６５ｂは、その左右寸法が台座６１の貫通穴６１ｂ，６１ｃに対応しており、上下寸法が台座６１の貫通穴６１ｂ，６１ｃより小さい寸法とされる。また、ハンドル本体６５には、突部６５ａ，６５ｂ間に先端側へ開口する上下方向に細長い矩形状の凹部６５ｃが形成されている。
【００３１】
室内側のハンドル本体６７も室外側のハンドル本体６５と同様に、矩形状のブロック体とされ、二つの突部６７ａ，６７ｂが形成されていると共に、この突部６７ａ，６７ｂ間に凹部６７ｃが形成されている。
なお、本実施例のハンドル本体６５，６７は、図２に示すように、側面視において、先端側から基端側へ行くに従って上下寸法が大きくなる略台形状とされ、ハンドル本体６５，６７の上下端面は、階段状の傾斜面に形成されている。
【００３２】
室外側のハンドル本体６５は、その突部６５ａ，６５ｂが台座６１の貫通穴６１ｂ，６１ｃにそれぞれはめ込まれて、台座６１に重ね合わされる。
具体的には、ハンドル本体６５の上側の突部６５ａが台座６１の上側の穴６１ｂにはめ込まれ、下側の突部６５ｂが台座６１の下側の穴６１ｃにはめ込まれる。このように台座６１にハンドル本体６５が設けられた状態では、台座６１の凹部６１ａの底面と、ハンドル本体６５の突部６５ａ，６５ｂの先端面とはほぼ面一に配置されている。また、ハンドル本体６５は、その突部６５ａ，６５ｂが台座６１の貫通穴６１ｂ，６１ｃに沿って移動することで、台座６１に対して上下動可能とされる。
【００３３】
ハンドル本体６５が台座６１に設けられた状態で、台座６１の上側の穴６１ｂおよびハンドル本体６５の凹部６５ｃにより構成される空間にコイルバネ７５が配置される。つまり、ハンドル本体６５の上側の突部６５ａと、台座６１の中間部６１ｄとの間にコイルバネ７５が収容される。コイルバネ７５は、その一端部がハンドル本体６５の上側の突部６５ａに当接し、他端部が台座６１の中間部６１ｄに当接され、台座６１に対してハンドル本体６５を上方へ付勢している。このようにハンドル本体６５に台座６１およびコイルバネ７５が取り付けられた状態で、操作部材６９がハンドル本体６５に固定される。
【００３４】
操作部材６９は、台座６１の凹部６１ａの底面に重ね合わされる矩形板状の一片６９ａと、この一片６９ａから直角に延出する細長い矩形板状の他片６９ｂとを有する略Ｔ字形材とされる。
操作部材６９は、その一片６９ａが台座６１の凹部６１ａの底面に重ね合わされた状態で、一片６９ａからハンドル本体６５の突部６５ａ，６５ｂにネジ７９，７９がねじ込まれてハンドル本体６５に固定される。
【００３５】
このように、ハンドル本体６５と操作部材６９とが一体化された状態では、ハンドル本体６５と操作部材６９の一片６９ａとの間に台座６１の基端部が配置されている。
つまり、ハンドル本体６５と操作部材６９の一片６９ａが台座６１の基端部を挟み込んでおり、ハンドル本体６５と操作部材６９は台座６１に対して上下方向に沿って移動可能に台座６１に保持される。また、ハンドル本体６５および操作部材６９は、コイルバネ７５により台座６１に対して上方へ付勢されている。
【００３６】
室内側のハンドル本体６７も室外側のハンドル本体６５と同様に、その突部６７ａ，６７ｂが台座６３の貫通穴６３ｂ，６３ｃにそれぞれはめ込まれて台座６３に重ね合わされて設けられ、ハンドル本体６７の上側の突部６７ａと、台座６３の中間部６３ｄとの間にコイルバネ７７が収容される。
【００３７】
そして、操作部材７１の一片７１ａが、台座６３の凹部６３ａの底面に重ね合わされた状態で、一片７１ａからハンドル本体６７の突部６７ａ，６７ｂにネジ８１，８１がねじ込まれてハンドル本体６７に操作部材７１が固定される。
このように、室内側のハンドル本体６７も室外側のハンドル本体６５と同様に、ハンドル本体６７と操作部材７１が台座６３に対して上下方向に沿って移動可能に台座６３に保持されると共に、ハンドル本体６７および操作部材７１は、コイルバネ７７により台座６３に対して上方へ付勢されている。
【００３８】
室外側ハンドル本体６５および操作部材６９が取り付けられた室外側の台座６１は、その取付柱７３，７３が扉１に前後方向に沿ってはめ込まれて扉１の室外側面に重ね合わされる。この際、取付柱７３，７３は、ラッチ錠３の錠ケース５を前後方向に沿って貫通している。なお、取付柱７３，７３は、扉１に差し込まれた状態において、扉１の室内側面から室内側へ突出しない長さとされている。
このように、室外側の台座６１が扉１の室外側面に重ね合わされた状態では、操作部材６９の他片６９ｂが、錠ケース５の開口部５１に差し込まれて、ラッチハブ１１の室外側の操作片４７の上方に近接して配置されている。
【００３９】
室外側の台座６１が扉１に設けられた状態で、取付柱７３，７３の先端部に室内側から取付部材８３が取り付けられる。取付部材８３は、板材を屈曲して形成された室内側へ開口する略コ字形材とされる。取付部材８３の中央片８５には、上下方向に細長い矩形状の貫通穴８５ａが形成されている。取付部材８３は、扉１の室内側面にその中央片８５が当接して設けられ、中央片８５から取付柱７３，７３にネジ８７，８７がねじ込まれる。
これにより、室外側の台座６１および取付部材８３が扉１に固定される。
【００４０】
室内側の台座６３は、その凹部６３ａ内に取付部材８３を配置して、扉１の室内側面に重ね合わされる。この際、操作部材７１の他片７１ｂが、取付部材８３の貫通穴８５ａおよび錠ケース５の開口部５３へ差し込まれて、ラッチハブ１１の室内側の操作片４９の上方に近接して配置される。
【００４１】
室内側の台座６３が、その凹部６３ａに取付部材８３を収容した状態で、台座６３の側面から左右方向に沿ってネジ８９，８９がねじ込まれて、室内側の台座６３が取付部材８３に固定され、ひいては室内側の台座６３が扉１に固定される。
なお、本実施例のネジ８９，８９は、台座６３の左右寸法とほぼ同じ長さとされ、そのネジ軸部には、ネジ頭部側の一部にのみネジ溝が形成されており、先端側はピン状に形成されている。
【００４２】
扉１にハンドル装置が設けられ、閉扉されてラッチボルト９のラッチ頭部２９が受２７の受穴２７ａに突入した状態では、各ハンドル本体６５，６７は、コイルバネ７５，７７により上方へ付勢されており、ハンドル本体６５，６７の上側の突部６５ａ，６７ａが台座６１，６３の上側の穴６１ｂ，６３ｂの上面に当接している。
また、図４に示すように、ラッチハブ１１の押片４３，４５がラッチガイド板３３の一片３３ｂに近接して配置されており、ラッチハブ１１の各操作片４７，４９の上方に近接して操作部材６９，７１の他片６９ｂ，７１ｂが配置されている。
【００４３】
図３に示すように、扉１が閉鎖され、ラッチ錠３のラッチボルト９が受２７の受穴２７ａに突入した状態から扉１を開ける場合には、ハンドル本体６５，６７を下方へ押し下げてラッチボルト９を後退させると共に、ハンドル本体６５，６７を扉開放方向へ引くまたは押せばよい。
【００４４】
たとえば、室内側から扉１を開ける場合には、まず、室内側のハンドル本体６７の上面に手を載せてハンドル本体６７を押し下げる。これにより、ハンドル本体６７は、バネ７７の付勢力に対抗して台座６３に対して下方へ移動し、ハンドル本体６７に固定された操作部材７１もハンドル本体６７と共に下方へ移動する。操作部材７１が下方へ移動することで、操作部材７１の他片７１ｂはラッチハブ１１の操作片４９に当接して押圧し、図４において、ラッチハブ１１を軸４１まわりに時計方向へ回転させる。
【００４５】
ラッチハブ１１が回転すると、ラッチハブ１１の押片４３，４５がラッチガイド板３３の一片３３ｂに当接してラッチガイド板３３を押し込み、これによりラッチボルト９が後退して、ラッチ頭部２９が受２７の受穴２７ａから抜け出して解錠される。
【００４６】
このようにハンドル本体６７を押し下げてラッチボルト９を後退させて解錠した状態で、ハンドル本体６７を外側へ押すことで扉１を開けることが可能となる。扉１を開けた後、ハンドル本体６７から手を放すと、ハンドル本体６７はバネ７７の付勢力により台座６３に対して上方へ移動して元の位置に戻る。また、ラッチボルト９やラッチハブ１１も各々、バネ３５，５５の付勢力により元の位置に戻る。そして、開扉状態から閉鎖するには、そのまま扉１を閉じることでラッチボルト９が戸先側縦枠２５の受２７に当接してバネ３５の付勢力に対抗して後退し、完全に閉扉することで受２７の受穴２７ａにラッチボルト９が突入して閉鎖される。
なお、室外側から扉１を開ける場合も室内側と同様に、ハンドル本体６５を押し下げてラッチボルト９を後退させた状態でハンドル本体６５を引くことで扉１を開けることができる。
【００４７】
次に、本実施例のハンドル装置が、前記周知のラッチ錠の構成と同様に周知の反転式のラッチ錠が設けられた扉に適用される場合について説明する。なお、ハンドル装置は、上記と同様の構成であり、同じ部材には同じ符号を付して説明する。
【００４８】
図７は、本実施例のハンドル装置が反転式ラッチ錠が設けられた扉に適用される状態を示す分解斜視図であり、図８は、反転式ラッチ錠の縦断面図である。
【００４９】
反転式ラッチ錠１０１は、箱状の錠ケース１０３内に、ラッチボルト１０５が進退可能に設けられている。なお、反転式ラッチ錠１０１も通常のラッチ錠と同様に、錠ケース１０３が扉１の戸先側端部の上下方向略中央部に取り付けられ、錠ケース１０３の戸先側端面１０７にフロント板１０９が重ね合わされる。また、錠ケース１０３の戸先側端面１０７およびフロント板１０９には、ラッチボルト１０５が通される貫通穴１１１，１１３が形成されている。
【００５０】
ラッチボルト１０５は、平面視略菱形とされ、錠ケース１０３から三角形状に突出して、受２７の受穴２７ａに突入する。ラッチボルト１０５が受２７の受穴２７ａに突入した状態では、閉扉方向の面が室内側へ行くに従って吊元側へ傾斜する傾斜面とされ、開扉方向の面が左右方向に沿う係合面とされる。
【００５１】
ラッチボルト１０５は、その基端部の上下に対称的な突出部１１５，１１５が一体形成されており、この突出部１１５に左右方向に係合溝１１５ａが上下両面にそれぞれ形成されている。
また、ラッチボルト１０５の基端部中央には、傾斜した嵌合凹部１１７が形成されており、ラッチバネ１１９の一端部がはめ込まれている。
【００５２】
錠ケース１０３の戸先側端面１０７の貫通穴１１１を臨むように、断面コ字形のバネ受１２１が設けられ、このバネ受１２１とラッチボルト１０５の嵌合凹部１１７間にラッチバネ１１９が設けられている。
このラッチバネ１１９の付勢力によって、ラッチボルト１０５の先端部は、常時、錠ケース１０３の戸先側端面１０７の貫通穴１１１から出没可能に突出している。
【００５３】
錠ケース１０３内には、ラッチボルト１０５が受２７の受穴２７ａに突入した扉１の閉鎖状態において、ラッチボルト１０５の反転を阻止するための上下一対のロッキングピース（作動部材）１２３，１２３が、ラッチボルト１０５を挟んだ状態で設けられている。各ロッキングピース１２３は、その略中央部が、錠ケース１０３の前後壁面間に枢軸１２５で揺動自在にそれぞれ枢支されている。さらに、各ロッキングピース１２３の先端部には、係合片１２７，１２７が対向するように突出して形成されている。また、枢軸１２５には、つる巻きバネ１２９がそれぞれ設けられており、係合片１２７がラッチボルト１０５の係合溝１１５ａに常時係合するようにロッキングピース１２３を付勢している。この係合状態時にはラッチボルト１０５は反転が阻止される。
【００５４】
また、各ロッキングピース１２３の略中央部には、連結片１３１，１３１が互いに対向するように突出して形成されており、両連結片１３１，１３１同士は連結ピン１３３により連動して回転可能に連結されている。
【００５５】
各ロッキングピース１２３の基端部には基端側へ延出して係合部１３５がそれぞれ形成されており、この係合部１３５は操作部材６９，７１によって上下動するスライダー１３７（第１スライダー１３９、第２スライダー１４１）の一部に当接している。
【００５６】
本実施例では、第１スライダー１３９を下動させることで、各ロッキングピース１２３が揺動し、また、第２スライダー１４１を上動させることで、各ロッキングピース１２３を揺動させるよう構成されている。つまり、一方のロッキングピース１２３を、その係合片１２７が、ラッチボルト１０５の係合溝１１５ａとの係合を解除する方向に揺動することにより、連結ピン１３３を介して他方のロッキングピース１２３も連動して揺動し、その係合片１２７もラッチボルト１０５の他方の係合溝１１５ａから離脱される。
【００５７】
このような反転式ラッチ錠１０１が設けられた扉１に本実施例のハンドル装置は、上記と同様に取り付けられ、操作部材６９，７１の他片６９ｂ，７１ｂは、錠ケース１０３の開口部１４３を介して、それぞれ第１スライダー１３９と第２スライダー１４１の間に差し込まれている。
【００５８】
扉１が閉鎖され、反転式ラッチ錠１０１のラッチボルト１０５が受２７の受穴２７ａに突入した状態から扉１を開ける場合には、上記と同様に、ハンドル本体６５，６７を下方へ押し下げればよい。たとえば、室内側のハンドル本体６７を押し下げた場合、ハンドル本体６７は、バネ７７の付勢力に対抗して台座６３に対して下方へ移動し、ハンドル本体６７に固定された操作部材７１もハンドル本体６７と共に下方へ移動する。
操作部材７１が下方へ移動することで、操作部材７１の他片７１ｂは第１スライダー１３９に当接して、第１スライダー１３９を下方へ移動させる。これにより、各ロッキングピース１２３が揺動して、ラッチボルト１０５との係合が解除される。
【００５９】
そして、ハンドル本体６７を押し下げた状態で、ハンドル本体６７を外側へ押すと、扉１の移動に伴ってラッチボルト１０５は受２７に当接して反転すると共に、受２７により押し込まれて錠ケース１０３内へ後退し、扉１を開けることが可能となる。なお、室外側から扉１を開ける場合も室内側と同様に、ハンドル本体６５を押し下げた状態でハンドル本体６５を引くことで開けることができる。
【００６０】
このように、本実施例では、ハンドル本体６５，６７を押し下げることで、ロッキングピース１２３とラッチボルト９との係合が解除され、ラッチボルト９は後退可能な状態つまり受２７に当接することで反転すると共に、錠ケース１０３内へ後退可能な状態となる。
【００６１】
このように、本実施例のハンドル装置は、通常のラッチ錠および反転式のラッチ錠の両方に使用することが可能である。そして、ラッチ錠を解錠、つまりラッチボルトを後退させる、または、ラッチボルトを後退可能状態に切替えるには、ハンドル本体を押し下げるだけでよく、手の不自由な人や高齢者であっても操作が可能となる。
また、本実施例のハンドル装置はハンドル本体を握る必要がないため、従来のプッシュ・プルハンドルやレバーハンドルのようにハンドルと扉面との間に手を入れて握るための空間部を設ける必要がなく、扉面からのハンドルの突出量を小さくすることができ、全体として極めてコンパクトで見栄えのよい意匠性に優れた製品とすることができる。さらに、扉面からの突出量を小さくすることができることで、身体や衣服が引っ掛かるおそれがなく、扉を開放したときに壁に衝突するおそれもない。
【００６２】
本発明のハンドル装置は、上記実施例の構成に限らず、適宜変更可能である。
たとえば、上記実施例では、台座の貫通穴にハンドル本体の突部をはめ込んで、ハンドル本体を台座に対して上下方向へ移動させるようにしたが、台座に突部を設け、ハンドル本体に貫通穴を設けてハンドル本体を台座に対して上下動可能としてもよい。
また、上記実施例では、ハンドル本体に操作部材を取り付けたが、ハンドル本体と操作部材とが一体であってもよい。
【００６３】
また、上記実施例では、ハンドル本体を上下方向にスライド可能としたが、左右方向としてもよい。この際、たとえば図４において、ラッチハブの操作片の位置を下方へ突出するように形成することで、ハンドル本体を左右方向にスライドさせることでラッチハブを回転させることが可能となる。この他、スライドの方向は適宜変更可能である。さらに、上記実施例では、ハンドル本体を下方へ押し込むことでラッチ錠を解錠させたが、上方へ押し上げてラッチ錠を解錠するようにしても構わない。また、上方および下方の両方の移動によりラッチ錠を解錠可能としてもよい。
【００６４】
また、上記実施例では、ラッチ錠が設けられた扉にハンドル装置が設けられたが、電気錠など従来においてノブなどでラッチボルトを後退または後退可能状態に切替えている扉錠が設けられた扉にも適用可能である。
【図面の簡単な説明】
【００６５】
【図１】本発明のハンドル装置の一実施例の扉への取付時の状態を示す分解斜視図である。
【図２】図１のハンドル装置の扉への取付状態を示す縦断面図である。
【図３】図１のハンドル装置の扉への取付状態を示す横断面図である。
【図４】室内側から見たラッチ錠の概略縦断面図である。
【図５】室内側のハンドル本体、台座および操作部材を示す斜視図である。
【図６】ハンドル装置の主要部を示す図であり、（ａ）は室外側の台座にハンドル本体が取り付けられた状態を基端側から見た図であり、（ｂ）は室内側の台座にハンドル本体が取り付けられた状態を基端側から見た図である。
【図７】本発明のハンドル装置の一実施例の反転式ラッチ錠が設けられた扉への取付時の状態を示す分解斜視図である。
【図８】反転式ラッチ錠の縦断面図である。
【符号の説明】
【００６６】
１  扉
３  ラッチ錠
５  錠ケース
９  ラッチボルト
１１  ラッチハブ（作動部材）
４７，４９  操作片
６１，６３  台座
６５，６７  ハンドル本体
６９，７１  操作部材
１０５  ラッチボルト
１２３  ロッキングピース（作動部材）
【図１】
2008240265.tif 000003
【図２】
2008240265.tif 000004
【図３】
2008240265.tif 000005
【図４】
2008240265.tif 000006
【図５】
2008240265.tif 000007
【図６】
2008240265.tif 000008
【図７】
2008240265.tif 000009
【図８】
2008240265.tif 000010